Podtech/llm-jp-corpus-v4-ja_patent huggingface dataset:
(57)【要約】【課題】  一度には食べきれないロールケーキを次の日に食べても飽きずに美味しく食する事のできるロールケーキを提供する事にある。【解決手段】  平らに広げたスポンジ質シートに、巻く回転方向と平行又は不定形に複数のクリーム等半練状物を異なる種類毎に塗り分けたり、複数の異なる種類のフルーツ類等固形物を異なる種類毎に異なる場所に配置させたロールケーキ。【選択図】  図３
2006158212.tif 000002
【特許請求の範囲】
【請求項１】
スポンジ質シートの上面にクリームや餡子やチョコレート等半練り状物が塗られ渦巻き状に巻かれたロールケーキにおいて、複数の異なる場所に、異なる種類毎のフルーツ又は穀類又は木の実などから選ばれた固形物が配置されたことを特徴とするロールケーキ。
【請求項２】
請求項１記載のロールケーキにおいて、スポンジ質シートの上面に塗られた複数の異なる種類の半練状物が、該シートを巻く方向に平行帯状に塗り分けられたことを特徴とするロールケーキ。
【請求項３】
請求項１記載のロールケーキにおいて、スポンジ質シートの上面に塗られた複数の異なる種類の半練状物が、その種類毎に不定形に塗り分けられたことを特徴とするロールケーキ。
【発明の詳細な説明】
【技術分野】
【０００１】
本発明はロールケーキに関するものである。
【背景技術】
【０００２】
従来ロールケーキには単一の種類のクリーム等半練状物が塗られてきた。又、クリーム等半練状物に複数の種類のフルーツ類が付加される事もあるが、均一点在に配置されるのが一般的であった。尚、本発明に関する先願は発見できなかった。
【発明の開示】
【発明が解決しようとする課題】
【０００３】
ロールケーキは長さがある為、少人数の家族に於いては一日で食べきってしまう事はあまり無い。通常は翌日に、また食する事になる。時には翌々日に又食する事になる。そうなると、どんなに美味しい物でも、同じ物だと人は飽きてしまって、うんざりするのである。
これら現状に鑑み、たとへ、三日目でも美味しく食べられるロールケーキを提供する事を目的とするものである。
【課題を解決するための手段】
【０００４】
上記目的を達成する為に請求項１記載のロールケーキは、スポンジ質シートの上面にクリームや餡子やチョコレート等半練状物が塗られ渦巻き状に巻かれたロールケーキにおいて、複数の異なる場所に異なる種類毎のフルーツ又は穀類又は木の実などの固形物を配置することにあり、輪切りにして行くと途中から異なった種類のフルーツ等固形物が表れて来るのである。
【０００５】
請求項２記載のロールケーキは、スポンジ質シートの上面に塗られた複数の異なる種類の半練状物が、該シートを巻く方向に平行帯状に塗り分けられたロールケーキである為、輪切りにして行くと、途中から 、異なった種類のクリーム等半練状物が表れて来るのである。
【０００６】
請求項３記載のロールケーキは、スポンジ質シートの上面に塗りわけられたクリーム等
半練状物が、不定形に、異なる種類毎に異なる場所に塗り分けられている為に、輪切りにして行くと、輪切りにする毎に異なったクリーム等半練状物が表れて来るのである。
【発明の効果】
【０００７】
本発明は上記の様な構成である為、少人数で食べる量が少ない場合でも、輪切りにして行くと中身が変化して行く為、飽きるという事が無く、無くなってしまうまで美味しく食べられるのである。又、クリーム等半練状物の色彩や、フルーツ等固形物の色彩と形状の変化によって人は目に飽きるという感情が起きないのである。
【０００８】
食する時に人数が多くてロールケーキ一本全部を輪切りにする場合、幾つもの種類に分かれるので、各自どれを食するかで話題になり、その場が盛り上がる事も考えられる。
【発明を実施するための最良の形態】
【０００９】
本発明に用いるスポンジ質シートとは、卵と粉と砂糖と水を基本材料とし、オーブンで焼成された物で、クリーム等半練状物とは、卵と牛乳と砂糖を基本材料として泡立てた物を言うが、他に、チョコレートを軟らかく練った物や、抹茶の入った生クリームや、色々なジャム類や、カレー粉の入った物や、餡子や、味噌類等がある。
【００１０】
次に本発明の実施の形態を実施例となる図面に基づき説明する。例えば、図１は請求項１記載に於ける、フルーツ等固形物の配置図であるが、スポンジ質シート１の上面に塗られたクリーム等半練状物８の上に、栗２、キウイ３、イチゴ４の配置を示している。又、他に例えば、くるみやカシューやイチゴ等の組み合わせも考えられる。ロールケーキに使えるフルーツ等固形物の種類の数は無数にあるので、その組み合わせも無限に考えられることになる。よって、組み合わせの限定はしない。
【００１１】
例えば、図２は請求項２記載において 、卵と粉、砂糖、水を基本材料とし、オーブンで焼成されたスポンジ質シート１上面に３種類のクリーム等半練り状物５，６，７が 帯状平行に塗り分けられた状態を表す斜視図で、１はロールケーキの本体であるスポンジ質シートを表す。５はチョコレート味で、６は抹茶味で、７は生クリームと、それぞれが異なる素材から成る異なる種類のクリーム等半練り状物を表す。
【００１２】
又、例えば、半練状物の組み合わせとしてはイチゴジャムとイチジクジャムとリンゴジャムの組み合わせも考えられる。
【００１３】
又、おもいっきり異なるタイプの物の組み合わせも考えられる。例えば、生クリーム類とジャム類と味噌味系類である。尚、組み合わせる種類の数は特に限定はしない。
【００１４】
図３は請求項３において、クリーム等半練状物をその種類５，６，７毎に不定形に塗り分けたものであるが、不定形にする事によって、ロールケーキを輪切りにする度毎に異なった中身が出現するのである。
【図面の簡単な説明】
【００１５】
【図１】ロールケーキの上面に複数の異なる種類毎にフルーツ等固形物を配置した状態を表す斜視図
【図２】ロールケーキの上面に複数の異なる種類のクリーム等半練り状物を、巻く回転方向と平行帯状に塗り分けた状態を表す斜視図。
【図３】ロールケーキの上面に複数の異なる種類のクリーム等半練状物を異なる種類毎に不定形に塗り分けた状態を表す斜視図。
【符号の説明】
【００１６】
１   スポンジ質シート
２    栗等固形物
３    キウィ等固形物
４     イチゴ等固形物
５    チョコレート等半練り状物
６     抹茶等半練り状物
７     生クリーム等半練り状物
８    クリーム等半練状物  
【図１】
2006158212.tif 000003
【図２】
2006158212.tif 000004
【図３】
2006158212.tif 000005
(57)【要約】【課題】乾燥貯蔵あるいは塩漬貯蔵することにより褐変した緑色植物及び海草等を、元の緑色に復元する。【解決手段】乾燥貯蔵あるいは塩漬貯蔵することにより褐変した緑色植物及び海草等を、食品として認可されている銅含有乳酸菌あるいは亜鉛含有乳酸菌などを用いて、元の緑色に復元させることを特徴とする。【選択図】      なし【特許請求の範囲】
【請求項１】
乾燥貯蔵あるいは塩漬貯蔵することによって褐変した緑色植物及び海草等の色調を元の緑色に復元させる方法において、褐変した植物及び海草等を、ミネラル乳酸菌を加えて加熱することを特徴とする貯蔵褐変植物及び海草等の緑色復元方法。
【請求項２】
ミネラル乳酸菌として、銅含有乳酸菌あるいは亜鉛含有乳酸菌、鉄含有乳酸菌、マグネシウム含有乳酸菌を、またはこれらを組み合わせて用いる貯蔵褐変植物及び海草等の緑色復元方法。
【発明の詳細な説明】
【技術分野】
【０００１】
本発明は、たとえば食品用や和菓子包装用の植物の葉あるいは山菜類等、食品関連の緑色植物及び海草等であって、これを乾燥貯蔵あるいは塩漬貯蔵したために褐変した色調を、元の緑色の色調に復元させる方法に関する。
【背景技術】
【０００２】
乾燥貯蔵あるいは塩漬貯蔵したために褐変した緑色植物及び海草等を元の緑色の色調に戻すため、従来では一般に、着色剤による着色方法が取られている。
ここで用いられる着色剤としては、金属銅、銅塩あるいは金属亜鉛、亜鉛塩類または銅クロロフィル塩類等である。
【０００３】
【特許文献１】▲１▼特開平１０−１４５３０▲２▼特開平２０００−１５７２２４▲３▼特開平６−２１７７３２▲４▼特開２００４−２０１５５３
【０００４】
▲１▼の公報には、下記の方法で、退色した植物の葉緑素を緑色にする方法が記載されている。
（１）  退色した植物を亜鉛イオンを含む溶液に接触させて、植物の緑色を復元する。
（２）  亜鉛イオンとして、硫酸亜鉛を使用する。
この方法は、硫酸亜鉛に含まれる、亜鉛イオンが退色した葉緑素を緑色に発色させる。
【０００５】
▲２▼の公報には、下記の方法で、退色した植物及び海草類を緑色にする方法が記載されている。
（１）  海草を熱湯に浸漬する工程で、亜鉛イオンと鉄イオンを含む溶液を使用する。
（２）  草木灰を溶液に浸漬して、草木灰に含まれる亜鉛イオンと鉄イオンとを溶液に溶出させる。
この方法は、草木灰に含まれる亜鉛イオンと鉄イオンが退色した葉緑素を緑色に発色させる。
【０００６】
▲３▼の公報には、下記の方法で、退色した植物及び海草類を緑色にする方法が記載されている。
（１）  銅クロロフィル及び／又は銅クロロフィリンアルカリ金属塩、並びに還元剤の一種又は二種以上を含む水溶液に、緑色野菜類又は海草類を浸漬する。
（２）  還元剤としてアスコルビン酸及びそのアルカリ金属塩に緑色野菜類又は海草類を浸漬する。
（３）  被着色物を５０℃以上に加熱して、緑色に発色させる。
この方法は、銅クロロフィル及び／又は銅クロロフィリンアルカリ金属塩の、銅イオンが退色した葉緑素を緑色に発色させる。
【０００７】
▲４▼の公報には、下記の方法で、退色した植物及び海草類を緑色にする方法が記載されている。
褐変した植物及び海草等を、ミネラル酵母を加えて加熱する。
ミネラル酵母として、銅含有酵母あるいは亜鉛含有酵母、鉄含有酵母、マグネシウム含有酵母を、またはこれらを組み合わせて用いる。
【発明の開示】
【発明が解決しようとする課題】
【０００８】
上記従来法は、一般の褐変植物及び海草等に対しては極めて有効な緑色復元方法である。
しかしながら、食品関連の褐変植物及び海草等に対しては、上記のように人体には好ましくない物質が多い。
したがって、上記従来法を食品関連の褐変した緑色植物及び海草等に適用することは、食品衛生法上問題がある。
本発明は、人体に無害な物質を用いて褐変した緑色植物及び海草等の色調を元の緑色に復元させることを目的とするもので、特に食品関連の緑色植物及び海草等を処理するのに相応しい安全な方法を提供するものである。
【課題を解決するための手段】
【０００９】
本発明は、乾燥貯蔵あるいは塩漬貯蔵したことによって褐変した食品関連の緑色植物及び海草等を元の緑色に復元するに際し、復元処理のために用いる物質は、処理後に微量残ったとしても人体に無害なものでなければならないとの前提に立って鋭意研究を重ね、本発明を完成させた。
本発明は、褐変した食品関連の緑色植物及び海草等を、ミネラル乳酸菌を加えて加熱することで、その色調を緑色に復元する方法である。
この場合、復元に用いるミネラル乳酸菌としては、銅含有乳酸菌、亜鉛含有乳酸菌が好ましく、鉄含有乳酸菌、マグネシウム含有乳酸菌も使用できる。
また、これらを組み合わせて用いることもできる。
【発明の効果】
【００１０】
以上の説明から明らかなように、本発明方法は、人体に無害な物質を用いて褐変した緑色植物及び海草等の色調を元の緑色に復元できるので、食品関連の褐変植物及び海草等の処理方法として、極めて安全であり、且つ、有効な方法である。
【実施例】
【００１１】
以下、実施例を挙げて本発明を説明するが、本発明はこれによって限定されるものではない。
〔実施例１〕
（褐変した塩漬貯蔵野沢菜の緑色の復元）１００ｋｇの野沢菜を１時間以上流水で水流し、水切りしておく。
４００リットルの水に、野沢菜を入れ、そこにミネラル乳酸菌を１０ｇから２ｋｇの範囲で加え、良くかき混ぜながら、加熱し摂氏５０度以上で加熱処理する。
緑色の復元には約３０分間を要するが、色調を観察しながら温度と時間を適宜設定すればよい。
処理後は、野沢菜を一晩流水で洗浄する。
【００１２】
さらに、以上の実施例は、褐変した植物や海草類を緑色に復元する方法を例示したが、本発明の方法は、緑色の植物や海草類を処理して、緑色の褐変を防止することができる。
【００１３】
また、乳酸菌以外にも、真菌類以外のミネラル含有細菌においても、本発明の方法により、同等の効果を得ることができる。
(57)【要約】【課題】  魚釣りにおいて、釣り糸に装着する目印の視認性の増大を図る。【解決手段】上部を斜めに折り曲げた極薄の塩化ビニールシート１を、風車状にビニールパイプ２に接着し、自然風を利用し回転という動きを目印に与え、視認性の増大を図る。【選択図】  図１
2006254888.tif 000002
【特許請求の範囲】
【請求項１】
極薄の塩化ビニールシートとビニールパイプとを組み合わせ、風車状にし、自然風を利用し、視認性の増大を図ることを目的とする、魚釣り用目印。
【発明の詳細な説明】
【技術分野】
【０００１】  本発明は魚釣り、特に、鮎、サクラマス等の長竿での釣りにおいて、目印の視認性の向上をねらいとする部品である。
【背景技術】
【０００２】  従来の目印は毛糸、薄型塩化ビニールシート、羽毛等を釣り糸につけ、上下にのみ移動可能な、目印自体としては固定を前提とした物であった。
【実用新案文献】
実願平４−４１３８２  実願平６−１７８５  実願登録第３０００９７５号
【発明の開示】
【発明が解決しようとする課題】
【０００３】  今迄の目印では、長竿での釣りに際しては、見づらく、特に老齢者にとっては釣り糸の位置の確認に困難を要するものであった。
【課題を解決するための手段】
【０００４】  本発明は、目印を見やすくするために、上部を斜めに折り曲げた極薄の塩化ビニールシート３枚を風車状にビニールパイプに接着し（以下、これを回転目印という）釣り糸に移動可能にしたビーズ玉を上下につけ、数個取り付ける。
【発明の効果】
【０００５】  風に依り、目印に回転という動きが加わることに依り、目印の視認性が増し、釣果の増大を可能とする。
【発明を実施するための最良の形態】
【０００６】  視認性の増大という目的を、最少限の部品で、自然風を利用することに依り、実現した。
【実施例１】
【０００７】  以下、本発明の実施例を図面に基づいて説明する。図１は、回転目印を斜め上方より見た全体図である。【０００８】  図２は回転目印を、上下にビーズ玉を遊動式につけ、釣り糸に通した物である。【０００９】  図３は回転目印を、釣り糸に数個取り付けた物である。
【産業上の利用可能性】
【００１０】  釣りにとって、負の要因ともなる風と言う自然現象を逆に利用し、目印に回転と言う動きを与える為、離れた所にある釣り糸の所在が鮮明となり、長竿による釣り全てに応用可能となる。
【図面の簡単な説明】
【００１１】
【図１】  本発明を斜め上方より見た全体図である。
【図２】  ビーズ玉を上下に使い、本発明に釣り糸を通した図である。
【図３】  本発明をビーズ玉を上下遊動式に使い、数個釣り糸に連結した図である。
【符号の説明】
【００１２】１    極薄塩化ビニールシート
２    ビニールパイプ
３    ビーズ玉
４    釣り糸
【図１】
2006254888.tif 000003
【図２】
2006254888.tif 000004
【図３】
2006254888.tif 000005
(57)【要約】【課題】  従来のこんにゃくには、魚の腐敗したような臭いがあり、多くの人から、不快の臭いと嫌われている。本発明は、こんにゃく特有の臭いのないことを特徴とする消臭こんにゃくとその製造方法を提供する。【解決手段】  水に二価鉄を主成分とするミネラル液を添加した溶液にこんにゃく粉を投入６０分〜９０分膨潤させる。その間にこんにゃく粉に含まれる臭いの成分トリメチルアミンは分解される。こんにゃく用凝固剤水酸化カルシウムの溶液にも、当該ミネラル液を溶解して、混練機で混入、加熱して凝固したこんにゃくは、こんにゃく特有の臭いのないこんにゃくとなる。【特許請求の範囲】
【請求項１】
原則としてこんにゃく粉、二価鉄を主成分とするミネラル液、こんにゃく用凝固剤水酸化カルシウムを必須成分とすることを特徴とするこんにゃくで、こんにゃく特有の臭いのないことを有する三成分系こんにゃく
【請求項２】
こんにゃく粉を水に溶解する際、こんにゃく粉を添加する前に二価鉄を主成分とするミネラル液を溶解混合してからこんにゃく粉を添加、膨潤させ、こんにゃく用凝固剤水酸化カルシウムに、二価鉄を主成分とするミネラル液を添加混合して石灰乳をつくり、該液を混練機で、膨潤したゾル状のこんにゃくに注入し、加熱し製造したこんにゃくで、こんにゃく特有の臭いのないことを有する三成分系こんにゃくの製造方法
【発明の詳細な説明】
【技術分野】
【０００１】  本発明は、消臭こんにゃくとその製造方法に関するもので、従来のこんにゃくは、魚の腐敗したような臭い（三大悪臭の一つアミン臭）があり、消費者から不快な臭いと嫌われおり、この臭いがある為こんにゃくの消費が伸びない一因があると云われている。
本発明は、これを解決するものでこんにゃくの品質を変性させることなくこんにゃく特有の臭いのないことを特徴とする消臭こんにゃくとその製造方法である。
【背景技術】
【０００２】  古くは、こんにゃくは、水にこんにゃく芋をすりつぶし、木灰を添加、混錬り加熱してこんにゃくがつくられてきたが、近年こんにゃくは、水にこんにゃく粉を添加し膨潤させて、こんにゃく用凝固剤水酸化カルシウムを添加、混練加熱して製造されている。
こんにゃく粉には、臭いの成分のトリメチルアミンがあり、さらにこんにゃくを凝固させる目的で使用する水酸化カルシウムは、強アルカリ剤であるため、製品のこんにゃくは、ｐｈが約１０．５〜約１２．０あり、消費者から嫌われる魚の腐敗したようなアミン臭、アルカリ臭が存在する。
この臭いがある為、こんにゃくは、食品としての利用が限定され、こんにゃくの普及を妨げられている。
また、こんにゃくの一世帯あたりの消費量は、昭和４４年をピークに減少を始めて現在まで歯止めがかかっていないのが現状で、この原因として，食品の多様化、食生活の変化など考えられるが、むしろこんにゃくそのものの品質が、置き去りにされ、本質的に改良されてこなかったことが、大いに影響していると考えられる。
このような問題点を改善すべく、さまざまな技術が考案され実際に使用されている。例えば、ごぼうからの抽出エキスでマスキングすることによって、こんにゃく特有の臭いを除去する方法があるが、あくまでマスキングであり本質的にこんにゃく特有の臭いを除去できるものではない。
【発明の開示】
【発明が解決しようとする課題】
【０００３】  本発明は、こんにゃく特有の臭いを除去したこんにゃくを提供するためのものであり、二価鉄を主成分とするミネラル液を水に溶解した後、こんにゃく粉を添加し６０分〜９０分間膨潤する。またこんにゃく用凝固剤の水酸化カルシウムにも当ミネラル液を添加した石灰乳を、膨潤したこんにゃくに混練、加熱して凝固することにより、こんにゃく特有の臭いのないこんにゃくが得られる。そのこんにゃくは、本質的にこんにゃくを改良したもので，こんにゃくの弾力性を失うことなく、美味なこんにゃく製品として消費者に提供し、近年ずっと続いているこんにゃくの全体の消費の落ち込みを技術的に解決しようとするものである。
【課題を解決するための手段】
【０００４】  水に二価鉄を主成分とするミネラル液を溶解させた溶液に、こんにゃく粉を添加し、６０分〜９０分間膨潤する。その間こんにゃく粉に含有する臭いの成分トリメチルアミンを当ミネラル液が分解する。こんにゃくの凝固剤水酸化カルシウムの溶液（石灰乳）にも当ミネラル液を添加溶解し、その石灰乳を混練機で混入、加熱して凝固させた結果、こんにゃく特有の臭いのないこんにゃくを得ることに成功した。
【発明の効果】
【０００５】  本発明は、ゾル状のこんにゃくの溶液とこんにゃくの凝固剤の水酸化カルシウムの溶液に二価鉄を主成分とするミネラル液を併用することによって、こんにゃく本来の食感を保ちながら、こんにゃく特有の臭いのないこんにゃくを製造することが可能である。
また、こんにゃくを消臭することによって、従来のこんにゃくでは、臭いがあるため不可能であった味付け、風味付け、香り付けなどが可能になり、おでん味、きのこエキス、かつおエキス、牛エキス、各種香料、各種調味料を添加したこんにゃくも製造可能である。
本発明は、従来のこんにゃくそのものを本質的に改良したもので、多くの人が食材として、多用途に使用出来、また近年消費が落ち込んでいるこんにゃくの消費量拡大にも寄与出来るものである。
【発明を実施するための最良の形態】
【０００６】  以下、本発明の実施の形態を説明する。
【実施例１】  水９ｋｇに二価鉄を主成分とするミネラル液を１６ｇ溶解し、その溶液にこんにゃく粉２７０ｇを溶解、９０分間膨潤する．水５０ｋｇに水酸化カルシウム溶解した後、二価鉄を主成分とするミネラル液を５０ｇ添加溶解して石灰乳とする。この石灰乳を膨潤したゾル状のこんにゃく液に、混練機で１ｋｇ混入、加熱して得られたこんにゃくは、こんにゃく特有の臭いのないこんにゃくであった。
【実施例２】  水９ｋｇに二価鉄を主成分とするミネラル液を１６ｇ溶解し、その溶液にこんにゃく粉２７０ｇ溶解、９０分間膨潤する。水５０ｋｇに水酸化カルシウムを６５０ｇ溶解して石灰乳とする。この石灰乳を膨潤したゾル状のこんにゃく液に、混練機で１ｋｇ混入、加熱して得られたこんにゃくは、実施例１のこんにゃくに比較して若干臭いの残るこんにゃくであった。
【実施例３】  水９ｋｇに二価鉄を主成分とするミネラル液を１６ｇ溶解し、それに市販のおでんの素１５０ｇ添加する。その液にこんにゃく粉２７０ｇ溶解、９０分間膨潤する。水５０ｋｇに水酸化カルシウム６５０ｇ溶解した後、二価鉄を主成分とするミネラル液を５０ｇ添加溶解して石灰乳とする。この石灰乳を膨潤したこんにゃく液に、混練機で１ｋｇ混入し加熱して得られたこんにゃくは、こんにゃく特有の臭いがなく、おでん風味の良く付いたこんにゃくであった。
(57)【要約】【課題】  カラスやネコがゴミ袋を破る被害は、非衛生で、ゴミの散乱は、大層不快である。従来の噴霧液にはカラスやネコが即ぐ慣れるうえ、噴霧しても、噴霧液が流れ落ちたり、蒸発乾燥したり、雨に流れて効力の持続性がなく、噴霧液の溶剤や成分は、殆どが有害で、多量の使用は、動物に危害を与える恐れがある。【解決手段】カラスやネコがゴミ袋を破るのは、脚ではなくて嘴や口であるという習性に着目して、嫌がる味の噴霧液を提供したい。苦味の強いセンブリ煎じ液を水糊に混入して噴霧すると、強い苦さのために、カラスやネコがゴミ袋を破らなくなる。溶剤とした水糊は、ゴミ袋から噴霧液が流れ落ちるのを防ぎ、乾燥しても苫味に変化がなく、雨にぬれても流れ落ちにくい。センブリ煎じ液と水糊は、無害で、動物に危害を与えない。また、庭の草木に噴霧すると、ネコが毛づくろいができなくなり、庭へ侵入しなくなる。【特許請求の範囲】
【請求項１】
本発明は、嘴や口でゴミ袋を破るカラスやネコの習性を利用して、カラスやネコが嫌がる苦味のセンブリ煎じ液を水糊に混入して噴霧液とする。粘着性のある水糊を溶剤としたのは、噴霧液がゴミ袋の表面を流れ落ちるのを防ぎ、乾燥しても苦味は変わらず、雨にも流れ落ちるのを押さえて、効力を持続させるためである。センブリ煎じ液や水糊に毒性がなく、人畜無害である。
【発明の詳細な説明】
【技術分野】
【０００１】本発明は、カラスやネコがゴミ袋を破る被害を防ぐために、カラスやネコが嫌がる苦味のセンブリ煎じ液を水糊に混入した噴霧液である。
【背景技術】
【０００２】従来は、カラスやネコが嫌がる成分として、臭味成分や辛味成分、硫黄等の化学物質を配合したものがあったが、動物は即ぐに慣れた。人間の内服薬であるセンブリ煎じ液をを主成分とするものは無かった。また、水糊に主成分を混入したものも無く、従来の噴霧液は、ゴミ袋から流れ落ちるのが早く、気化蒸発して乾燥しやすく、雨で流れて、効力の持続性が無いうえ、溶剤は、殆どが有害物質で、多量の使用は、動物に危害を与える恐れがあった。
【発明の開示】
【発明が解決しようとする課題】
【０００３】本発明は、カラスやネコが最も嫌がる成分を発見して噴霧液として、ゴミ袋を破り散らす被害を無くすことであり、なおかつ、それが動物の生命を奪う心配のないものであることである。噴霧液が流れ落ちたり、気化蒸発して乾燥したり、雨で流れ落ちて、効力を落とすことが無いことも課題である。
【課題を解決するための手段】
【０００４】カラスやネコがゴミ袋を破る時、脚を使うのではなく、嘴や口を主に使う習性に着目し、噴霧液の成分を、苦味の強いセンブリ煎じ液とした。センブリ煎じ液は、人間の内服薬であり、動物にも安全である。また、センブリ煎じ液を水糊に混入させることによって、噴霧液がゴミ袋から流れ落ちることを防ぎ、乾燥しても苦味は変わらず、雨にも流れ落ちるのを押さえて効力は持続する。
【発明の効力】
【０００５】カラスやネコは、センブリ煎じ液の強い苦味を嫌って、ゴミ袋に嘴や口を付けなくなる。センブリ煎じ液は、人間の内服薬で、水糊も無害で、動物の生命を奪う心配が無い。噴霧されたセンブリ煎じ液と水糊の混合液は、ゴミ袋から流れ落ちるのを防ぎ、乾燥しても苦味は変わらず、雨にも流れ落ちにくく、効力を持続する。ゴミ袋だけでなく、庭の草木に噴霧すると、草木に触れたネコが毛づくろいができなくなり、庭へ侵入しなくなる。
(57)【要約】【課題】  日本蜜蜂の飼育のたむには、西洋蜜蜂の盗蜂から守ったり、また、女王蜂の逃去を防ぐことが必要であるので、巣箱の出入り口（巣門）に設置して、蜂の出入りを制御する器具である。【解決手段】  蜂の出入りを制御するために、コイル状のバネをスクリーンとして金枠の両端に留め、その一端のネジを巻くことによって、３．６ｍｍ〜３．７ｍｍ及び３．９ｍｍ〜４．０ｍｍの間に調節するという構成からなっている。【選択図】  図１
2006254886.tif 000002
【特許請求の範囲】
【請求項１】
コイル状のバネをスクリーンとして金枠の両端に留め、その一端のネジを巻くことによって、３．６ｍｍ〜３．７ｍｍ及び３．９ｍｍ〜４．０ｍｍの間に調節して、蜂の出入りを制御する器具である。
【発明の詳細な説明】
【技術分野】
【０００１】  この発明は、日本蜜蜂を西洋蜜蜂の盗蜂から守り、また、女王蜂の逃去を防ぐための器具である。
【背景技術】
【０００２】  日本蜜蜂の飼育にあたっては、日本蜜蜂の働き蜂が巣箱を自由に出入りできる状態にしたうえで、西洋蜜蜂・スズメ蜂等の外敵による巣箱への侵入を排除したり、また、日本蜜蜂の女王蜂が逃去するのを防止することが必要となる。
そこで、巣箱の出入り口（巣門）に設置して蜂の出入りを制御するための器具として、Ｓ式スクリーンが一般に使用されている。【０００３】  この器具は、複数のシャフトの間隔を３．６ｍｍ〜４．０ｍｍに設定して、巣門をふさぐものであって、蜂の出入りを制御するためには非常に精度の高いものである。
ところが、この器具にあっても、問題がないわけではない。日本蜜蜂にも西洋蜜蜂にも大小があり、これらに対応して、シャフトを微調整することが困難である。
【発明の開示】
【発明が解決しようとする課題】
【０００４】  この発明が解決しようとする問題点は、次の通りである。
（１）日本蜜蜂にも西洋蜜蜂にも大小があるので、これらに対応して、蜂の出入りを制御する必要がある。
（２）そのためには、複数のシャフトの間隔を微調整する必要がある。
【課題を解決するための手段】
【０００５】  この発明は、次のような構成からなりたっている。
（１）コイル状のバネをスクリーンとして、金枠に両端に留める。
（２）金枠の一端にネジを付ける。ネジを巻く度合いによって、３．６ｍｍ〜３．７ｍ及び３．９ｍｍ〜４．０ｍｍの間に調節できる。
（３）巣箱の巣門に密着して設置する器具である。
【発明の効果】
【０００６】  この考案の効果は、次の通りである。
（１）コイル状のバネは、線の太さ・巻数・全長・間隔について精度の高いものを製造できる。これを用いると、３．６ｍｍ〜４．０ｍｍの間隔にスクリーンを調節することができる。
（２）したがって、３．９ｍｍ〜４．０ｍｍの範囲では、日本蜜蜂の働き蜂は通過できるが、女王蜂は通過できないようにして、女王蜂の逃去を防止することができる。
（３）３．６ｍｍ〜３．７ｍｍの範囲では、西洋蜜蜂による盗蜂防止に使用できる。
【発明を実施するための最良の形態】
【０００７】  （１）長方形の鉄板の両端を直角に折り曲げて金枠をつくる。
（２）金枠の一端にネジを付ける。
（３）金枠の間にコイル状のバネをスクリーンとしてはめ込む。
（４）金枠の一端にあるネジを巻く度合いに応じて、３．６ｍｍ〜３．７ｍｍ及び３．９ｍｍ〜４．０ｍｍの間に調節する。
（５）巣箱の巣門に密着して設置する器具である。
【実施例】
【０００８】  （１）長方形の鉄板の両端を直角に折り曲げて金枠をつくり、その一端にネジを付け、また、金枠に間にコイル状のバネをスクリーンとしてはめ込み、その両端を留めた器具である。
（２）このスクリーンは、金枠の一端にあるネジを巻く度合いに応じて、３．６ｍｍ〜３．７ｍｍ及び３．９ｍｍ〜４．０ｍｍの間に調節することができる。そうすると、西洋蜜蜂による盗蜂と日本蜜蜂の女王蜂の逃去を防止することになる。
（３）コイル状のバネを６．７ｍｍ間隔に設定してスクリーンに付け替えると、日本蜜蜂の通過を許し、スズメ蜂の侵入を阻止することができる。
（４）この器具は、スクリーンを用いて蜂の出入りを調整するものであるから、巣箱の巣門に密着して設置する。
（５）金枠の内側に計算された厚さのワッシャーを付けることによって、伸びた状態では３．９ｍｍ〜４．０ｍｍのコイル状のバネを３．６ｍｍ〜３．７ｍｍの間隔に切り替えることができる。ワッシャーの代りに同様に計算されたスプリング受け座を裏返すことにより同様の切り替えが可能である。
（６）コイル状のバネの両端を座巻数３巻で金枠にはめ込み、１巻ごとにはめ込む位置を内側にずらして、３．６ｍｍ〜４．０ｍｍの間隔に調整することができる。そうすると、一つのスクリーンの調整によって、二つのスクリーンの役割をすることになる。
【図面の簡単な説明】
【０００９】
【図１】  本器具を巣箱に設置した状態を正面からみた図面である。
【図２】  本器具をネジのある側からみた側面図である。
【符号の説明】
【００１０】１  金枠
２  コイル状のバネ
３  ネジ
４  ワッシャー
【図１】
2006254886.tif 000003
【図２】
2006254886.tif 000004
(57)【要約】【課題】  従来はペットの排泄時に容器を大体の位置に差し出すため確実に拾うことができませんでした。これをちりとりのような容器にカガミとモノサシを接着して排泄物が落ちるのをカガミ及び、モノサシで位置を確認して、ペットの排泄物を地面に落ちる前に拾うことができる容器を提供する。【解決手段】    ちりとりのような容器（１）にトッテ（５）をとりつけ、カガミなどうつるもの（２）とモノサシなどはかるもの（３）（４）を接着したことを特徴とする。【選択図】  図１
2006254889.tif 000002
【特許請求の範囲】
【請求項１】
ちりとりのような容器（１）に柄（５）をとりつけ、カガミなどうつるもの（１）を接着し、カガミなどにうつるペットの排泄物を見ながら地面に落ちる前に拾うことができる以上のごとく構成された容器。
【請求項２】
カガミなどうつるもの（２）の横にモノサシなどはかるもの（３）と、ちりとりのような容器（１）の上面にモノサシなどはかるもの（４）を接着し、後ろ足、尻の毛シッポなどの位置をモノサシに合わせることにより、ペットの排泄物を地面に落ちる前に拾うことができる請求項１の容器。
【発明の詳細な説明】
【技術分野】
【０００１】  本発明はちりとりのような容器にカガミなどうつるもの及び、モノサシなどはかるものを接着することで、ペットの排泄物を見ながら及び落ちる位置を確認しながら地面に落ちる前に拾うことができるペットのトイレに関するものである。
なお、カガミが汚れないように透明なビニールをカガミの上に敷けばよい及び、透明なビニール袋を容器の中に入れてもよい。
【背景技術】
【０００２】  従来、ペットは排泄するとき尻を落とすので排泄物が落ちてくるのが見えにくく、特に毛の長いペットはほとんど見えません、そのため大体の位置に容器をさしだすので、容器のふちに落ちたり、半分しか容器に入らなかったり、確実に拾うことができませんでした。
【特許文献１】  特開  ２００４−３１３０９１号  公報
【特許文献２】  特開  ２００３−３２５０７１号  公報
【特許文献３】  特開  ２００３−８８２６７号    公報
【発明の開示】
【発明が解決しようとする課題】
【０００３】  これはつぎのような問題点があった。
ペットの排泄物が落ちてくる位置に容器を毎回同じ位置に置くことができませんでした。
本発明は以上のような欠点をなくすためになされたものである。
【課題を解決するための手段】
【０００４】  これを図面について説明すれば、ちりとりのような容器（１）に柄（５）をとりつけ、カガミなどうつるもの（２）とモノサシなどはかるもの（３）、（４）を接着したものである。
以上の構成よりなるカガミなどうつものとモノサシなどはかるものを接着した、ペットの排泄物を地面に落ちる前に拾うことができる、ちりとりのような容器。
いま、ちりとりのような容器（１）の柄（５）を持ち、ペットがまさに排泄しようとしている時に、排泄物をカガミ及び、モノサシで排泄物の落ちる位置を確認しながら容器を排泄物が落ちる位置に置けるので地面に落ちる前に拾うことができる。
なお、柄にカガミなどうつるもの及び、モノサシなどはかるものを接着してもよく、又は、カガミ、モノサシを湾曲にしてもよい。
【発明の効果】
【０００５】  ちりとりのような容器にカガミなどうつるものとモノサシなどはかるものを接着することで、従来のようにペット尻下の大体の位置に差し出すのではなく、排泄物が落ちるのを見ながら容器の中に確実にとることができます、又カガミにうつしだすことができない場合は、モノサシで排泄物が落ちてくる位置を確認できるので、毎回同じ位置に容器を差し出しだすことができ、排泄物を容器の中に確実にとることができます。
このようにすれば、ペットの排泄物を地面に落とすことなく処理することができます、
従来より、確実に地面に落ちる前に拾うことができる容器があれば、地面や道路を汚すこともありませんし、確実に拾うことで環境汚染もありません、ペットの排泄物を放置する飼い主の少なくなりマナーの向上に役にたてるものと考えています。
【発明を実施するための最良の形態】
【０００６】    以下、本発明の実施例について説明する。
（イ）  ちりとりのような容器（１）に柄（５）をとりつけ、底面にカガミなどうつるもの（２）とその両横にモノサシなどはかるもの（３）を接着する。
（ロ）  ちりとりのような容器（１）上面の両横にも、モノサシなどはかるもの（４）を接着する。
本発明は、以上のような構造でこれを使用するときは、ペットがまさに排泄する時に、ちりとりのような容器（１）の柄（５）を持ち、カガミなどうつるもの（２）とモノサシなどはかるもの（３）、（４）でペットの排泄物をカガミとモノサシで確認して落ちる位置に、ちりとりのような容器（１）を置くことができるので排泄物を地面に落ちる前に拾うことができる。
なお、排泄物でカガミが汚れないように透明なビニールをカガミの上に敷けばよい及び、透明なビニール袋を容器の中にいれてもよい。
【図面の簡単な説明】
【０００７】
【図１】  本発明の斜視図である。
【図２】  本発明をペットが使用している斜視図である。
【符号の説明】
【０００８】  １ちりとりのような容器
２カガミ
３底面のモノサシ
４上面のモノサシ
【図１】
2006254889.tif 000003
【図２】
2006254889.tif 000004
(57)【要約】【課題】おにぎりを一つ一つ握るのは大変手間がかかる。また、おにぎりの中に入れる具材が２種類以上になると分からなくなる。一度に数個のおにぎりができ、中に入れる具材もわかるおにぎりを成型することができるシ−トを提供する。【解決手段】等間隔の折り目と切り目の入ったおにぎり成型シ−ト１０で正三角形のおにぎりを成型し切り分けていくことにより、この課題を解決する。【選択図】図１
2006254884.tif 000002
【特許請求の範囲】
【請求項１】
等間隔に設けられた折り目を折って正三角形を成型することを特徴とするおにぎり成型シ−ト。
【請求項２】
成型した正三角形を切り分けるための等間隔の溝が複数設けられていることを特徴とする請求項１記載のおにぎり成型シ−ト。
【発明の詳細な説明】
【技術分野】
【０００１】本発明は、おにぎりに関するものであり、一度に数個のおにぎりを作ることができるようにしたものである。
【背景技術】
【０００２】従来から、おにぎりは、一つ一つ手で握って作るため手間がかかるものである。おにぎりを成型する例として、特許文献１、特許文献２、特許文献３、特許文献４、特許文献５、特許文献６に開示されているものがある。
【特許文献１】特開１０−７０９６３
【特許文献２】特開２００４−１４７５０４
【特許文献３】特開２００３−１５９０１５
【特許文献４】特開２００２−１１２９０１
【特許文献５】特開２００１−２３８６１９
【特許文献６】特開２０００−３２７０６４
【発明の開示】
【発明が解決しようとする課題】
【０００３】しかし、従来の発明は一個のおにぎりを成型するための発明である。本発明は、一度に数個のおにぎりを成型することを課題とする。
【課題を解決するための手段】
【０００４】この課題を解決するための請求項１の発明は、等間隔に設けられた折り目を折って正三角形を成型することを特徴とする、おにぎり成型シートである。等間隔の折り目によって作られた等間隔の面によって正三角形を成型することができる。【０００５】請求項２の発明は、成型された正三角形を切り分けるための等間隔の溝が複数設けられていることを特徴とする、おにぎり成型シートである。溝に合わせて包丁で切ることにより複数のおにぎりが出来上がる。
【発明の効果】
【０００６】本発明により、一つ一つ握っていたおにぎりを一度に数個作ることができる。またおにぎりの中身が見えるので食べる時に分かりやすい。
【発明を実施するための最良の形態】
【０００７】本発明の実施例について図面を参照しながら説明する。図１は、本発明に係るおにぎり成型シ−ト１０を縮小した平面図である。おにぎり成型シ−ト１０には図１が示すように２，３，４と等間隔の谷折りの折り目がある。端１はおにぎり成型シ−ト１０の端のラインである。押さえ板５，６はシ−トの端からはみ出てくるご飯を押さえて整えるために付いている。溝７ａ，７ｂ，７ｃ，７ｄ，７ｅは、切り分けるとき包丁の刃を差込む所である。また、おにぎり成型シ−ト１０の素材はポリプロピレンなどの合成樹脂製で形成することが望ましい。
【実施例】
【０００８】おにぎり成型シ−ト１０の押さえ板５，６が左右になるようにして手前側に置く。【０００９】のりの端を折り目４に合わせて置き、その上にご飯を１ｃｍぐらいの高さになるように広げながら置いていく。おにぎりの中に具を入れるときは、具材を折り目２辺りに置く。【００１０】おにぎり成型シ−ト１０を両手で持ち上げ、端１と折り目４がぶつかり合うようにし、折り目が谷折りなるように折りながら正三角形を形作る。【００１１】押さえ板５，６も谷折りに折り、ご飯がはみ出して来ないように内側に向かって軽く押す。【００１２】  複数の切り目の溝７ａ，７ｂ，７ｃ，７ｄ，７ｅを上側にして置き、包丁の刃を溝に入れ切っていく。
【図面の簡単な説明】
【００１３】
【図１】おにぎり成型シートの平面図である。
【符号の説明】
【００１４】１    端
２    折り目
３    折り目
４    折り目
５    押さえ板
６    押さえ板
７ａ  切り目
７ｂ  切り目
７ｃ  切り目
７ｄ  切り目
７ｅ  切り目
【図１】
2006254884.tif 000003
(57)【要約】      （修正有）【課題】くい込みを利用して強固に接合できるパイプ継ぎ手、差し込んだパイプが容易に抜けるようにくい込み防止処理された継ぎ手、継ぎ手内側にフックが着いた継ぎ手および異なる径のパイプ接合に対応できる継ぎ手を提供する。【解決手段】パイプをＲ状直角に曲げた継ぎ手にパイプを差し込むとコーナー部でくい込みが生じ簡単には抜けない。また、２方向３方向Ｒ状にすることで主材を差し込むとくい込みが生じ簡単に安定するようになる。【選択図】図１
2006254887.tif 000002
【特許請求の範囲】
【請求項１】
くい込みを利用して強固に接合できるパイプ継ぎ手
【請求項２】
差し込んだパイプが容易に抜けるように継ぎ手にくい込み防止具を入れくい込みが起こらないように処理された継ぎ手
【請求項３】
組み立ててから対角締め付け  連結ができるように継ぎ手内側にフックが着いた上記継ぎ手
【請求項４】
異なる径のパイプ接合に対応できる継ぎ手
【発明の詳細な説明】
【技術分野】
【０００１】本発明は農業用ハウス  棚用パイプ資材の継ぎ手に関する
【背景技術】
【０００２】農業用ハウス  棚等の組み立て継ぎ手として主構造材（パイプ）に別部材をはめ込む  はめ込んで締め付ける継ぎ手が普及している  どちらも部材を重ねるように接続されヒネリに弱い構造になっている【０００３】片方の部材を固定して置かないとぐらぐらして接続が容易でない  地中に差込固定するか  つかまえておく必要がある【０００４】同一径のパイプを接続するように規格されたのが主であり径が異なるパイプを接続できない【０００５】組み立ててから分解  規模調整がよういでない
【発明が解決しようとする課題】
【０００６】接続部で部材段差が出ないようにするとともに接続部をひねりに強い構造とする
【０００７】一人ででも組み立て分解が出きるようにする
【０００８】径が異なるパイプも接続できるようにし  資材を無駄なく活用する
【０００９】分解を容易にし  規模調整  台風対策に対応できるようにする
【課題を解決するための手段】
【００１０】図１−１  −２  のようにビニールハウス  農業用棚パイプで２方向  ３方向コーナーＲ状直角確保継ぎ手があれば部材段差も出ず接続部の強度が従来普及品よりはるかに増す
【００１１】図１−１  −２  の継ぎ手は２方向  ３方向差し込むだけで接続固定できるようにすることでパイプを地中打ち込み固定  パイプを支える補助員を必要としないようにする
【００１２】図３−１  −２  のように縮小タイプ  拡大タイプのように異なる径のパイプを接続できるようにする
【００１３】図２−１  −２  のように図１−１  −２継ぎ手に食い込み防止具を挿入して抜き差しを容易にする
【発明の効果】
【００１４】接続部の部材段差が解消されるとともに従来普及品より接続部の強度が増すさらに２方向３方向差し込むだけの接続組み立てなので農業用ハウス  棚が一人で簡単に組み立てができる
【００１５】径が異なる部材接続が出来ることにより資材を無駄なく活用できる
【００１６】分解を簡単に出きるように考慮しておくことでハウス  棚の規模  高さ調整が容易に出来る  台風襲来時の被害緩和対策が取れる
【発明を実施するための最良の形態】
【００１７】図１−１  −２形状を主材となる農業用ハウスパイプで創りパイプを差し込んでハウス  棚等を組むことで接続部の部材段差をなくすとともに接合部の強度を増すようにする【００１８】図１−１  −２形状のように２方向３方向Ｒ状にすることで主材を差し込むとくい込みが生じ簡単に安定するようにする【００１９】図３−１  −２  −６のように縮小タイプ  拡大タイプ  各方向型の継ぎ手を創り径の異なるパイプを接続できるようにする【００２０】図２−１  −２のようにくい込み防止具を挿入しくい込みをなくすことで主材パイの抜き差しを簡単にする
【産業上の利用可能性】
【図面の簡単な説明】
【００２１】
【図１】差し込むだけ強固に接続できる継ぎ手
【図２】簡単に分解できる継ぎ手
【図３】異なる径を接続できる継ぎ手 図１  図１、図２、図３
【図１】
2006254887.tif 000003
【図２】
2006254887.tif 000004
【図３】
2006254887.tif 000005
(57)【要約】【課題】海苔は健康食品として認知されているが、各種食品との組み合わせとしても市場ニーズに対応した加工品の要求が多い、本発明は、きざみ海苔の幅の極細化の要求と、従来の装置の切断刃の問題点を大きく改善され、針状きざみ海苔の機械による製造は、画期的な発明である。【解決手段】きざみ海苔長さを交換可能な外周刃で切断、きざみ海苔幅をフライホイル刃の回転数制御により任意の寸法に切断する構造を考案した事は発明にあたいする。【選択図】図１
2006254879.tif 000002
【特許請求の範囲】
【請求項１】
長方形の長さ寸法を自在に代える刃物部分の機構。
【請求項２】
長方形の幅の寸法を自在に代える機構並びに制御。
【発明の詳細な説明】
【発明の詳細な説明】
【技術分野】
【０００１】  本発明は、海苔を短冊状に切られた、いわゆるきざみ海苔が、用途別に太さの違うものが使われているが、きざみ海苔を製造する上で、１台の装置で任意の形状に対応するものがない、この装置は長さ並びに幅を任意の寸法に自在に可変可能にしたきざみ海苔加工装置の発明である。
【背景技術】
【０００２】  従来の海苔を任意の幅に切断する機械の刃物の機構は、そばやうどんの麺切りの機械を改造して作られており、一体型の刃物２本を噛み合わせて切断する方法であるため、海苔のような薄い対象物を切断する場合には刃物の精度をより高精度に追求しなければならない。
雄雌の櫛刃で海苔幅を切断し長さはフライホイル刃で切断している。従って海苔幅を変えるには雄雌の櫛刃の交換をしなければ成らない。左近のきざみ海苔の用途はが多様化し、きざみ幅並びに長さが多種に渡り、雄雌の櫛刃の種類と刃の破損を含めた費用は加工する問屋にとってかなりの負担に成っている。また交換に係る時間も問題と成っている。更にきざみ海苔幅を限りなく細い商品の市場ニーズに応える課題を抱えている。
【発明が解決しようとする課題】
【０００３】従来の切断機の切断刃機構では精度が重要であり、異物などの噛み込みなどで刃が欠けた時の交換費用も大きい。一体化した櫛刃の重量は２０ｋｇ程度とかなり重い、その為初期セッティングや交換の際の作業に難点がある。
【課題を解決するための手段】
【０００４】  発明の一つは、一体型櫛刃の問題点を、回転軸に外周刃をカラーを間に挟み組み込む事で、きざみ海苔の長さを切る機構に使用する。長さは任意に寸法を代える事が容易で、破損した場合も、破損部の刃のみの交換によりコスト低減になる。更に重量的にもかなり軽くする事で、作業性にも改善がされる。
二つ目は、フライホイル刃をきざみ海苔幅切りに使用するように、回転数の制御により、海苔幅の寸法を可変可能な制御を加える機構にした事で、最小寸法を針状のきざみ海苔から任意の寸法のきざみ海苔を一台で製造可能にした。
【発明を実施するための最良の形態】
【０００５】  本発明のきざみ海苔加工装置の切断機構について説明すると、目的とするきざみ海苔の長さ寸法に成るように、図１の外周刃Ａの軸にカラーを間に挟み外周刃Ａを軸に固定させて切断刃構造を形成し、外周刃のあたる受けロールＢ側に逃がし溝を入れた、海苔押さえローラーＣを供給ベルトＦの末端に組み込む。フライホイルの高速回転で海苔が風圧により舞い上がり防止対策と海苔を送り込む構造にした。
Ｄ軸の駆動モーターＭ２は、フライホイルを駆動させるもので可変速に制御できる。フライホイル刃Ｄと固定刃Ｅは、きざみ海苔の幅切りの為のもので、フライホイル刃を高速に回転すれば、針状に細くなり回転を遅くしていけば、海苔幅は太くなる。ＡＢＣ軸の駆動モーターＭ１は、海苔の自動供給を可能に成るように可変速に制御できる。ＡＢ間は平歯車、ＡＣ間はベルトにより駆動伝達をする。
【図面の簡単な説明】
【図１】本装置の主要ユニット部の平面図
【符号の説明】
Ａ    外周刃
Ｂ    受けロール
Ｃ    押さえロール
Ｄ    フライフォール刃
Ｅ    固定刃
Ｆ    供給ベルト
Ｍ１  可変速モーター
Ｍ２  可変速モーター
【図１】
2006254879.tif 000003
(57)【要約】【課題】薄板紙とピアノ線を組み合わせたねずみ捕獲器を提供する。【解決手段】  両端に４センチ程度の折り返しを持つ太さ０．４ミリ程度のピアノ線を装着する薄板紙を、箍板紙の通し穴に丸めて通すことを特徴とするねずみ捕獲器とする。  尚、胴体の底辺部をのり付けして箍板紙を省略するねずみ捕獲器とする。【選択図】図１
2006254878.tif 000002
【特許請求の範囲】
【請求項１】
両端を４センチ程で鉤形に折り曲げた、太さ０．４ミリ程度のピアノ線を装着する薄板紙を、箍板紙の通し穴に丸めて通すことを特徴とするねずみ捕獲器。
【請求項２】
中心部に４５度上向きの山型をもつピアノ線を、底辺をのり付けしたトンネル型胴体の天井部にあけた二つの小穴に通して持ち上がりと回転を押さえ、箍板紙を省略する請求項１記載のねずみ捕獲器。
【発明の詳細な説明】
【技術分野】
【０００１】本発明は、ピアノ線を用いたねずみ捕獲器に関するものである。
【背景技術】
【０００２】従来、ねずみ捕獲器には、金網籠形と、接着剤塗布紙形、があった。
【発明の開示】
【発明が解決しようとする課題】
【０００３】従来のものは、次のような問題点があった。
即ち、金網籠形、接着剤塗付形はねずみの学習能力により効果が薄れ捕獲が困難になっている。
本発明は、これらの問題点を解決するためになされたものである。
【課題を解決するための手段】
【解決手段】
【０００４】両端を４センチ程で鉤形に折り曲げた、太さ０．４ミリ程度のピアノ線を装着する薄板紙を、箍板紙の通し穴に丸めて通すことを特徴とするねずみ捕獲器。
尚、他の実施例としては、中心部に４５度上向きの山型をもつピアノ線を、底辺をのり付けしたトンネル型胴体の天井部にあけた二つの小穴に通して持ち上がりと回転を押さえ、箍板紙を省略する方法も考えられる。
【発明の効果】
【０００５】  （イ）接着剤を用いないため匂いがなくねずみに警戒心を与えない。
（ロ）本体を黒色にすることにより胴体内部のピアノ線の折り返しに気付きにくい。
（ハ）折り返しが胴体内部で折れ曲がっているため、ねずみが内部で暴れても抜け落ち        ない。
（ニ）ピアノ線をＸ形にして箍で圧着しているため線が弦巻状態になり、一方端が横倒        しになっても他方端まで影響を与えず、倒れた折り返し部も直ちに立ち直る復元        力が得られる。
（ホ）従って、進入は容易であるが一旦進入すれば折り返しが直ちに立ち直りねずみの        後退を阻み、前後でピアノ線が突き刺す形になるため終局的にねずみが動けなく        なる。
（ヘ）中央部に餌をおけば両方向から進入できるので通路に仕掛けるのに有効であり狭        い箇所にでも設置ができる。
（ト）捕獲器の組み立てが極めて簡単である。
（チ）捕獲後の処置もそのままポイ捨てができる。
（リ）他の実施例の、トンネル型捕獲器の場合は箍を必要としない。
【発明を実施するための最良の形態】
【０００６】以下、本発明の実施の形態について説明する。
（イ）胴体（１）：  幅２０センチ、長さ３０センチ程の薄板紙とし、左右両辺の縁寄りに複数の小穴（２）をあける。
（ロ）ピアノ線（３）：  太さ０．４ミリ程、長さを斜め対向の小穴（２）間とし、両端を４センチ程で鋭角状に折り曲げる、折り返し（４）をもつ。
（ハ）箍（５）：  縦横７センチ程の方形厚板紙に直径５センチ程の通し穴（６）をもつ。
（ニ）組み立て：  ピアノ線（３）をＸ状に小穴（２）に通した胴体（１）を丸めて箍板紙（５）四枚に通す。
2006254878.tif 000003
該部を、底辺を中折れ線（７）で折り曲げてのり付けしたトンネ
2006254878.tif 000004
ち上がりと回転を防ぎ、箍板紙（５）を省略する方法。（請求項２記載）
【図面の簡単な説明】
【０００７】
【図１】請求項１による、本発明ねずみ捕獲器の全体斜視図
【図２】請求項１による、本発明ねずみ捕獲器の胴体展開状態を示す斜視図
【図３】請求項１による、本発明ねずみ捕獲器の箍板紙の正面
【図４】請求項２による、本発明ねずみ捕獲器の全体斜視図
【図５】請求項２による、本発明ねずみ捕獲器の胴体展開状態を示す斜視図
【符号の説明】
【０００８】
2006254878.tif 000005
４  折り返し
５  箍板紙
６  通し穴
７  中折れ線
８  のりしろ
９  山型
【図１】
2006254878.tif 000006
【図２】
2006254878.tif 000007
【図３】
2006254878.tif 000008
【図４】
2006254878.tif 000009
【図５】
2006254878.tif 000010